(57)【特許請求の範囲】
【請求項１】
運転部の後方に脱穀装置を配備し、脱穀装置の選別部に組み込まれたシーブケースを脱穀装置後端に開口された排塵口から抜き出し可能に構成したコンバインにおいて、
前記シーブケースに装備されたチャフシーブを開度調節可能に構成するとともに、前記チャフシーブの開度調節用の作動部材と、前記運転部の近傍に配備した開度調節操作具とを連動連結するに、前記作動部材に連結した操作ワイヤの後部を、脱穀装置後端の前記排塵口に導き、この操作ワイヤの後部と前記開度調節操作具とを連動連結してあることを特徴とするコンバイン。
【請求項２】
前記作動部材に連結した前記操作ワイヤの後部を、前記脱穀装置の側板に装備した中継部材に連結し、前記中継部材と前記開度調節操作具とを脱穀装置外部に配備した連係部材で連動連結してある請求項１記載のコンバイン。
【請求項３】
前記操作ワイヤの後部を前記中継部材に脱着可能に連結してある請求項２記載のコンバイン。
【請求項４】
前記連係部材が操作ワイヤである請求項２または３記載のコンバイン。
【発明の詳細な説明】
【技術分野】
【０００１】
本発明は、運転部の後方に脱穀装置を配備し、脱穀装置の選別部に組み込まれたシーブケースを脱穀装置後端に開口された排塵口から抜き出し可能に構成したコンバインに関する。
【背景技術】
【０００２】
上記構成のコンバインにおいては、シーブケースの前部に備えたローラを、選別部の内側面に設けた案内レールに後方から挿入して、シーブケースの後部を偏芯回動機構に連結し、偏芯回動機構の偏芯回動によってシーブケースの前部を斜め前後方向に直線状に往復作動させるとともに、シーブケースの後部を上下前後に循環回動させることで、シーブケースに処理物の後方送り機能と篩い選別機能を与えるようにしている。また、必要に応じてシーブケースと偏芯回動機構との連結を解除して、シーブケースを脱穀装置後端の排塵口から後方に引き出し、清掃や部品の交換などを行うようにしている（例えば、特許文献１参照）。
【特許文献１】特開平１１−７５５２１号公報
【発明の開示】
【発明が解決しようとする課題】
【０００３】
近年、シーブケースに装備された粗選別用のチャフシーブを開度調節可能に構成し、処理物量が多くなると開度を大きくしてチャフシーブの選別処理能力を高め、処理物量が少ない時には開度を小さくしてゴミの混入の少ない精度の良い選別を行えるようにしたものが開発されている。
【０００４】
チャフシーブの開度を調節する手段としては、シーブケースに備えた開度調節用の作動部材を直接に人為操作する手段や、開度調節用の作動部材をモータなどの電動アクチュエータを用いて作動させるとともに、この電動アクチュエータを運転部からのスイッチ操作で作動させる手段、などが知られている。前者の構成では、チャフシーブの開度調節操作の度、作業者が運転部から機体後部の調節操作箇所まで移動する必要があり、開度調節操作が煩わしいものとなる。後者の構成では、運転部からの遠隔操作でチャフシーブの開度調節を容易に、任意の時期に行うことができるが、シーブケースを抜き出してメンテナンスを行う際に、電気配線を不当に引き回して損傷させたり、電気配線中のコネクタなどでの接触不良をもたらすおそれがあり、電気系統の保守管理を厳重に行う必要がある。
【０００５】
本発明は、このような点に着目してなされたものであって、運転部の作業者がチャフシーブの開度調節を任意に行うことができるとともに、シーブケースを脱穀装置後端の排塵口から容易に挿抜してメンテナンスできるようにすることを目的としている。
【課題を解決するための手段】
【０００６】
第１の発明は、運転部の後方に脱穀装置を配備し、脱穀装置の選別部に組み込まれたシーブケースを脱穀装置後端に開口された排塵口から抜き出し可能に構成したコンバインにおいて、
シーブケースに装備されたチャフシーブを開度調節可能に構成するとともに、チャフシーブの開度調節用の作動部材と、運転部の近傍に配備した開度調節操作具とを連動連結するに、作動部材に連結した操作ワイヤの後部を、脱穀装置後端の排塵口に導き、この操作ワイヤの後部と開度調節操作具とを連動連結してあることを特徴とする。
【０００７】
上記構成によると、通常の作業状態において、運転部の作業者が開度調節操作具を操作することにより、操作ワイヤ及び作動部材を介してチャフシーブの開度を調節することができる。
この場合、操作ワイヤはチャフシーブ（作動部材）から後方（脱穀装置後端の排塵口）に向かって延出される状態となっている。これにより、チャフシーブの清掃あるいは部品交換、等のメンテナンスを施す場合、チャフシーブを脱穀装置後端の排塵口から後方に引き出すと、チャフシーブの後方移動に伴って操作ワイヤは弛むだけであるので、操作ワイヤの連結状態のままでもチャフシーブを相当大きく引き出すことができる。
従って、第１の発明によると、作業者が運転部からチャフシーブの開度調節を機械的に任意に行うことができるとともに、シーブケースを脱穀装置後端の排塵口から容易に挿抜してメンテナンスすることができる。
【０００８】
第２の発明は、上記第１の発明において、
作動部材に連結した操作ワイヤの後部を脱穀装置の側板に装備した中継部材に連結し、中継部材と開度調節操作具とを脱穀装置外部に配備した連係部材で連動連結してあるものである。
【０００９】
シーブケースの開度調節用の作動部材と運転部近くの開度調節操作具とを機械的に連動連結する手段としては、例えば、作動部材に連結された１本の操作ワイヤを排塵口から導出して、更に、前方に延出して開度調節操作具に連動連結する構造とすることも考えられる。しかし、この構造では、後方向きに導出した操作ワイヤを大きく前方に向けて屈曲する必要があり、この操作ワイヤの屈曲によって操作抵抗が大きくなったり、屈曲曲率を大きくするために操作ワイヤを必要以上に長いものにする必要がある。これに対して、本発明のように、脱穀装置内部から後方に向かう操作ワイヤと、脱穀装置後部から前方に向かう別の連係部材とを用いることにより、操作ワイヤを極力短いものにして屈曲少なく配索することができ、操作抵抗の少ないワイヤ操作を行うことができるとともに、脱穀装置外側の連係部材も極力短いものとすることができる。
【００１０】
第３の発明は、上記第１または２の発明において、
操作ワイヤの後部を中継部材に脱着可能に連結してあるものである。
【００１１】
上記構成によると、チャフシーブの清掃あるいは部品交換、等のメンテナンスを施す場合、チャフシーブを脱穀装置後端の排塵口から後方に抜き出す。この場合、抜き出したチャフシーブを別の箇所に運び出すような場合には、操作ワイヤの後部を中継部材から外しておけばよい。
【００１２】
第４の発明は、上記第２または第３の発明において、
連係部材が操作ワイヤであるものである。
【００１３】
上記構成によると、脱穀装置の外側において連係部材としての操作ワイヤは他の構造体や装置部分を避けて自由に配索することができ、中継部材と開度調節操作具との機械的な連動連結を容易に行うことができる。
【発明を実施するための最良の形態】
【００１４】
図１に、普通型（全稈投入型）のコンバインの全体側面が、また、図２に、その全体平面がそれぞれ示されている。このコンバインは、左右一対のクローラ走行装置１を備えた走行機体２に、脱穀装置３と穀粒回収部４が左右に並列して配備されるとともに、穀粒回収部４の前方にキャビン仕様の運転部５が配備され、更に、脱穀装置３の前部には支点Ｘ周りに上下揺動自在に刈取り作物搬送用のフィーダ６が連結され、このフィーダ６の前端に刈取り部７が連結された構造となっている。
【００１５】
前記刈取り部７は、左右の分草フレーム１１に亘ってバリカン型の刈取り装置１２、および、刈り取った作物を刈り幅中間に横送りするオーガ１３が架設された構造となっている。フィーダ６にはチェーン式の掻揚げコンベア１４が内装されており、オーガ１３で横送りされて掻込みフィンガー１５で後方に掻き込まれた作物がフィーダ６の底面に沿って掻き揚げ搬送されて脱穀装置３の前端に投入供給されるようになっている。
【００１６】
走行機体２とフィーダ６の下部との間に油圧シリンダ１６が架設され、この油圧シリンダ１６の伸縮作動によって刈取り部７がフィーダ６と一体に揺動昇降されるようになっている。刈取り部７の前部上方には、植立した穀稈を後方に掻き込んで引き上げる掻込みリール１７が装備されている。
【００１７】
図３に示すように、脱穀装置３の上半部には扱胴２１を前後水平に軸支した扱室２２が設けられるとともに、この扱室２２の下方に沿って受網（コンケーブ）２３が配備され、扱室２２の下方には、受網２３から漏下した処理物を１番物（精粒）、２番物、および、排塵とに選別する選別部２４が配備されている。
【００１８】
選別部２４には、受網２３から漏下した処理物を後方に揺動移送しながら篩い選別するシーブケース２５が装備されるとともに、選別部２４の前端部にはシーブケース２５に向けて選別風を供給する唐箕２６が配備されている。脱穀装置３の後端には、扱室２２の後端下部に形成された送塵口２７から排出された大きいワラ屑類、および、選別部２４の後端から排出されたワラ屑類を機外に導く排塵口２８が設けられ、この排塵口２８を介して排出されてきた長いワラ屑を回転チョッパ２９で細断処理するよう構成されている。
【００１９】
図３に示すように、前記シーブケース２５は、その前部左右が選別部２４における左右の側板３１の内面に固定された前下がり傾斜姿勢の案内レール３２に左右のローラ３３を介して前後移動可能に係止案内されるとともに、シーブケース２５の後部が、左右の側板３１間に亘って横架装着された偏芯回動機構３４に脱着可能に連結されている。偏芯回動機構３４が偏芯回動作動することで、シーブケース２５の前部が斜め前後方向に直線的に往復移動するとともに、シーブケース２５の後部が上下前後に循環回動作動し、載置した処理物の後方送り機能と篩い選別機能が発揮されるよう構成されている。
【００２０】
前記案内レール３２の後端から脱穀装置後部に亘って、前記ローラ３３を載置して転動案内する挿抜用レール３５が連設されており、偏芯回動機構３４との連結を解除したシーブケース２５のローラ３３を挿抜用レール３５で案内して後方に導き、シーブケース２５を排塵口２８から後方に抜き出すことができるようになっている。
【００２１】
図４に示すように、前記唐箕２６はベルト式無断変速装置３６を介して変速可能に駆動されている。ベルト式無断変速装置３６は、唐箕駆動軸３７に備えた変速プーリ３８における左右の分割プーリ間隔を変えてベルト巻き掛け有効径を変更することで唐箕回転速度を変更して、選別風量を任意に変更調節することができるようになっている。変速プーリ３８のベルト巻き掛け有効径を変更する作動レバー３９と、脱穀装置３の前端部右上方箇所に配備された風量調節レバー４０とが操作ワイヤ４１を介して連動連結されている。風量調節レバー４０は、運転部５におけるキャビン８の横窓８ａを開けることで手が届く位置に配備されており、風量調節レバー４０を上下に揺動調節してレバーガイド４２の複数位置に選択係止することで、複数段の風量調節が可能となっている。
【００２２】
選別部２４の下部には１番回収部４５と２番回収部４６がそれぞれ配備され、回収された１番物は横送りスクリュー４７で搬送されて装置外に搬出された後、バケットコンベアからなる揚送装置４８によって穀粒回収部４に送り込まれ、回収された２番物は横送りスクリュー４９で搬送されて装置外に搬出された後、スクリュー式の還元装置５０で搬送されてシーブケース２５の前部に還元供給されて再選別処理を受けるようになっている。
【００２３】
シーブケース２５の前部には受網２３の前部から漏下した処理物および還元された２番物を後方に揺動移送する波板状の前部グレンパン５１、前部グレンパン５１の終端に至った処理物をほぐす篩い線５２、篩い線５２の後端に至った処理物および受網２３の前後中間部位から漏下した処理物を後方に揺動移送しながら篩い選別する粗選別用のチャフシーブ５３、篩い線５２およびチャフシーブ５３から漏下した処理物を篩い選別する精選別用のグレンパン５４およびグレンシーブ５５、チャフシーブ５３の終端に至った処理物および受網２３の後部から落下してきた処理物を後方に揺動移送しながら処理物の絡みをほぐすストローラック５６、および、ストローラック５６から落下した処理物を後方に揺動移送しながら篩い選別して残ったワラ屑類を排塵口２８に送り出す排出用のチャフシーブ５７、等が装備されている。
【００２４】
前部グレンパン５１は、その揺動移送中に処理物をその比重差によって上下に層分けする、いわゆる比重差選別を行うものであり、比重の大きい穀粒類を下層に、ワラ屑などの比重の小さい処理物を上層に分けて次の篩い線５２に送り出すように構成されている。
【００２５】
前部グレンパン５１によって凡そ上下２層に仕分けられた処理物が篩い線５２上に移動すると、下層の穀粒類は直ちに落下してグレンパン５４およびグレンシーブ５５に供給され、篩い線５２から落下しなかった上層のワラ屑類およびこれに紛れ込んでいる穀粒類が粗選別用のチャフシーブ５３に受け渡されてゆく。
【００２６】
図５示すように、粗選別用のチャフシーブ５３は、多数のリップ板５３ａが定ピッチでもって前後に並列配備して構成されている。各リップ板５３ａは、その左右において上端部の支点ａを中心にして前後揺動可能にシーブケース２５の左右の側壁２５ａにピン枢支されるとともに、各リップ板５３ａにおける左右の下端部が前後に左右一対の長い支持枠５３ｂにそれぞれピン枢支されており、支持枠５３ｂの前後移動に連動して全部のリップ板５３ａの角度が変更されるようになっている。つまり、支持枠５３ｂが前方に移動すると各リップ板５３ａの角度がゆるくなってチャフシーブ５３の開度が小さくなり、逆に、支持枠５３ｂが後方に移動すると各リップ板５３ａの角度がきつくなってチャフシーブ５３の開度が大きくなるのである。
【００２７】
粗選別用のチャフシーブ５３の開度を調節する構造が以下のように構成されている。前後中間に位置する所定のリップ板５３ａの下端部と機体左側の支持枠５３ｂとを枢支連結する下部枢支ピン５８が、シーブケース２５の側壁２５ａに形成された円弧状の長孔５９を貫通してシーブケース２５に左外側に突出されている。シーブケース２５の左側の側壁２５ａの外面に前記支点ａ周りに揺動可能に枢支連結された作動部材６０の下端部に、下部枢支ピン５８が連結されており、作動部材６０が外部から揺動操作されることで支持枠５３ｂが前後に移動されて、チャフシーブ５３の開度が変更されるようになっている。
【００２８】
前記作動部材６０の下部とシーブケース２５の側壁２５ａの外面に取り付けたバネ受け部材６１とに亘って引っ張りバネ６２が張設されて、作動部材６０にチャフシーブ５３の開度を大きくする方向の揺動付勢力が付与されるとともに、作動部材６０の上端部に、レリーズワイヤからなる操作ワイヤ６３のインナ前部６３ａが連結され、操作ワイヤ６３の後部が脱穀装置３の後端に向けて導出されている。
【００２９】
図４，図６，図７に示すように、選別部２４における左側の側板３１の後端に近い箇所に、中継部材６４が横向き支点ｂ周りに回動可能に装着されている。中継部材６４は、前記側板３１に回動可能に貫通支承された支軸６４ａの左右突出部に内アーム６４ｂと外アーム６４ｃを連結固定して構成されたものであり、前記操作ワイヤ６４のインナ後部６３ｂが前記内アーム６４ｂに脱着可能にピン連結されている。
【００３０】
中継部材６４の外アームに６４ｃは、手元操作用の連係部材として別の操作ワイヤ６５のインナ後部６５ｂが連結されるとともに、その操作ワイヤ６５が脱穀装置３の左外側を通って脱穀装置３の前部にまで延出され、更に、図８に示すように、操作ワイヤ６５が脱穀装置３の前方を横切って脱穀装置３の前端部右上方箇所にまで屈曲延出されている。
【００３１】
脱穀装置３の前端部右上方箇所には、前記風量調節レバー４０と並んで開度調節操作具としての開度調節レバー６６が上下揺動可能に配備され、この開度調節レバー６６に前記操作ワイヤ６５のインナ前部６５ａが連結されている。この開度調節レバー６６は、前記レバーガイド４２に複数操作位置で係止保持可能に構成されており、開度調節レバー６６を下方に揺動するほど操作ワイヤ６５のインナ前部６５ａが引き操作され、図６に示すように、中継部材６４が時計方向に回動され、これに伴って脱穀装置内部の操作ワイヤ６３が後方に引き操作され、図９に示すように、開度調節用の作動部材６０が引っ張りバネ６２に抗して回動されて、チャフシーブ５３の開度が小さくなる方向に作動される。逆に、開度調節レバー６６を上方に揺動するほど操作ワイヤ６５のインナ前部６５ａが弛められて中継部材６４が図６において反時計方向に回動され、操作ワイヤ６３のインナ後部６３ｂが弛められ、開度調節用の作動部材６０が引っ張りバネ６２の付勢力で回動されて、チャフシーブ５３の開度が大きくなる方向に作動される。
【００３２】
本発明は以上のように構成されており、収穫作業中においても、キャビン８の横窓８ａを開けて開度調節レバー６６を操作することでチャフシーブ５３の開度を任意に調節することができる。
【００３３】
チャフシーブ５３の清掃あるいは部品交換、等のメンテナンスを施す場合、偏芯回動機構３４との連結を解除したチャフシーブ５３を排塵口２８から後方に抜き出す。この場合に、図１１に示すように、チャフシーブ５３の後方移動に伴って操作ワイヤ６３は弛むだけであるので、操作ワイヤ６３の連結状態のままでもチャフシーブ５３を相当大きく引き出すことができる。操作ワイヤ６３のインナ後部６３ｂを中継部材６４の内アーム６４ｂから外せば、抜き出たチャフシーブ５３を別の箇所に運び出すことができる。
【００３４】
〔他の実施例〕
（１）前記中継部材６４と開度調節レバー６６とを脱穀装置外側で連動連結する連係部材として、上記のように操作ワイヤ６５を利用する他に、押し引きロッドやリンク機構を利用することもできる。
（２）本発明は、刈取り作物をフィードチェーンで挟持搬送しながら脱穀処理する自脱型の脱穀装置を搭載したコンバインに適用することもできる。
【図面の簡単な説明】
【００３５】
【図１】コンバインの全体側面図
【図２】コンバインの全体平面図
【図３】脱穀装置の縦断側面図
【図４】脱穀装置の側面図
【図５】チャフシーブの開度を大きくした状態のシーブケースを示す側面図
【図６】シーブケースの後部の側面図
【図７】操作ワイヤの連動連結構造を示す平面図
【図８】脱穀装置の正面図
【図９】チャフシーブの開度を小さくした状態のシーブケースを示す側面図
【図１０】脱穀装置および運転部の上部を示す正面図
【図１１】チャフシーブの抜き出し状態を示す脱穀装置の側面図
【符号の説明】
【００３６】
３              脱穀装置
５              運転部
２４            選別部
２５            シーブケース
２８            排塵口
５３            チャフシーブ
６０            作動部材
６３            操作ワイヤ
６４            中継部材
６５            連係部材（操作ワイヤ）
６６            開度調節操作具
【図１】
0004833239.tif 000002
【図２】
0004833239.tif 000003
【図３】
0004833239.tif 000004
【図４】
0004833239.tif 000005
【図５】
0004833239.tif 000006
【図６】
0004833239.tif 000007
【図７】
0004833239.tif 000008
【図８】
0004833239.tif 000009
【図９】
0004833239.tif 000010
【図１０】
0004833239.tif 000011
【図１１】
0004833239.tif 000012